(57)【要約】【課題】薄形で設計の自由度が得られるとともに、静音化、水滴の飛散対策を図った蒸気排出ユニットを提供する。【解決手段】本蒸気排出ユニットは、電気器具が収納される収納棚に組み込まれて使用され、ユニット本体の本体底部に設けられた蒸気吸込口とユニット本体の前面に設けられた蒸気排気口との間に配置され送風機のファンケーシングを含む通気路が設けられ、ファンケーシングは、その底面部が一端で送風機の遠心式ファンを収容するファン収容部の底部に連なりかつ、底面部の一部には、曲線状に、緩やかに前下がりに傾斜する傾斜部が設けられ、他端で前記蒸気排気口に連通し、蒸気排気口は、この蒸気排気口がファン収容部の高さよりも高く形成される。【選択図】  図６
2010046301.tif 000002
【特許請求の範囲】
【請求項１】
電気器具が収納される収納棚に組み込まれて使用され、
ユニット本体の本体底部に設けられた蒸気吸込口とユニット本体の前面に設けられた蒸気排気口との間に配置され送風機のファンケーシングを含む通気路が設けられ、
前記電気器具から発生する蒸気を前記蒸気吸込口から吸い込み、前記通気路を介して前記蒸気排気口から排出する蒸気排出ユニットにおいて、
前記ファンケーシングは、その底面部が一端で前記送風機の遠心式ファンを収容するファン収容部の底部に連なりかつ、前記底面部の一部には、曲線状に、緩やかに前下がりに傾斜する傾斜部が設けられ、他端で前記蒸気排気口に連通し、
前記蒸気排気口は、この蒸気排気口が前記ファン収容部の高さよりも高く形成されることを特徴とする蒸気排出ユニット。
【請求項２】
前記送風機の遠心式ファンを回転させるモータは、前記ファンケーシング外に設けられ、前記モータを取り付けるために形成される前記ファンケーシングと前記ユニット本体の本体底部との間の空間が形成され、この空間には前記底面部が突き出て収容されることを特徴とする請求項１に記載の蒸気排出ユニット。
【発明の詳細な説明】
【技術分野】
【０００１】
本発明は蒸気排出ユニットに係り、特に、送風機のケーシングの構造を改良した蒸気排出ユニットに関する。
【背景技術】
【０００２】
従来、収納棚に収納された炊飯器、電気ポットあるいはコーヒーメーカーなどの電気器具の加熱時に発生する蒸気を外部に排出するために、収納棚に蒸気排出ユニットを組み込んでいる。
【０００３】
このような従来の蒸気排出ユニットにおいて、電気炊飯器や電気ポットなどヒータを熱源とする電気器具が多く収納される。
【０００４】
従来の蒸気排出ユニットは、吸排気用の送風機がユニット本体の幅方向の中心から偏倚し、ユニット本体の前面から奥行方向に入ったユニット本体の内部位置に設けられている（例えば、特許文献１参照）。
【０００５】
このため、特許文献１に記載の蒸気排出ユニットは、ユニット本体に２個設けた蒸気吸込口から、この各々蒸気吸込口と送風機のケーシング吸込口までの距離が異なり、また、これらの吸込口を連通するダクト形状が複雑になり、２個の蒸気吸込口を介して均一な吸気ができない場合があり、さらに、送風機がユニット本体の内部に位置するため、ユニット本体の片側半分が収納棚の収納部間で膨出するので、この位置に収納される電気器具は高さに制約を受け、また、静音化、水滴の飛散対策がなされず、改良の余地があった。
【０００６】
そこで、遠心式ファンが収容されるケーシングのファン収容部の高さと蒸気排出口の高さと略同一にして、薄形化、静音化、水滴の飛散に対策を図った蒸気排出ユニットが提案されている（例えば、特許文献２参照）。
【０００７】
しかしながら、この特許文献２に記載の蒸気排出ユニットは、蒸気排出口の高さを高くすることが困難であるなど設計の自由度が制約を受ける。
【特許文献１】特開２００２−８１７１０号公報
【特許文献２】特開２００８−１６１４３２号公報
【発明の開示】
【発明が解決しようとする課題】
【０００８】
本発明は上述した事情を考慮してなされたもので、薄形で設計の自由度が得られるとともに、静音化、水滴の飛散対策を図った蒸気排出ユニットを提供することを目的とする。
【課題を解決するための手段】
【０００９】
上述した目的を達成するため、本発明に係る蒸気排出ユニットは、電気器具が収納される収納棚に組み込まれて使用され、ユニット本体の本体底部に設けられた蒸気吸込口とユニット本体の前面に設けられた蒸気排気口との間に配置され送風機のファンケーシングを含む通気路が設けられ、前記電気器具から発生する蒸気を前記蒸気吸込口から吸い込み、前記通気路を介して前記蒸気排気口から排出する蒸気排出ユニットにおいて、前記ファンケーシングは、その底面部が一端で前記送風機の遠心式ファンを収容するファン収容部の底部に連なりかつ、前記底面部の一部には、曲線状に、緩やかに前下がりに傾斜する傾斜部が設けられ、他端で前記蒸気排気口に連通し、前記蒸気排気口は、この蒸気排気口が前記ファン収容部の高さよりも高く形成されることを特徴とする。
【発明の効果】
【００１０】
本発明に係る蒸気排出ユニットによれば、薄形で設計の自由度が得られるとともに、静音化、水滴の飛散対策を図った蒸気排出ユニットを提供することができる。
【発明を実施するための最良の形態】
【００１１】
本発明の一実施形態に係る蒸気排出ユニットについて添付図面を参照して説明する。
【００１２】
図１は本発明の一実施形態に係る蒸気排出ユニットを組み込んだ収納棚の正面図、図２は本発明の一実施形態に係る蒸気排出ユニットを組み込んだ収納棚の斜視図、図３は本蒸気排出ユニットの正面図、図４は本蒸気排出ユニットの下面図、図５は本蒸気排出ユニットの天板を外しダクトを透視した状態の平面図、図６は本蒸気排出ユニットの幅方向の縦断面図である。
【００１３】
図１乃至図３に示すように、本発明の一実施形態に係る蒸気排出ユニット１は、炊飯器、電気保温ポットあるいはコーヒーメーカーなどの電気器具が収納される収納棚３１の収納部３２の上部に取り付けられて使用される。
【００１４】
蒸気排出ユニット１は天板２ａを備えた扁平直方体状のユニット本体２を有し、ユニット本体２の前面には蒸気排気口３が設けられる。
【００１５】
図４に示すように、ユニット本体２の本体底部２ｂには、このユニット本体２の一部をなす凹部形成板４によって形成され、底面が平らで扁平略矩形状の凹部５が設けられ、この凹部５の略全体を覆うように平板状の蒸気分散板６が取り付けられる。
【００１６】
凹部５は可能な限り浅くして、ユニット本体２を薄くし、さらに、蒸気分散板６は、凹部５の下端部５ａ（図６）と段差ができるように凹部５に押し込んで、空間部を形成し、蒸気分散板６の下方には大きな収納部３２（図１）のスペースを形成する。
【００１７】
また、凹部５には、蒸気分散板６により図中ドットを付して示す蒸気吸込口７が形成され、この蒸気吸込口７は、蒸気分散板６に設けた円弧部を含む略Ｔ字状の第１の吸込口７ａと、蒸気分散板６の周縁部と凹部５の側面とで画成される略コ字状の第２の吸込口７ｂからなる。これにより、均一かつ速やかな吸い込みが可能となる。
【００１８】
第２の吸込口７ｂの奥行方向の位置（寸法）は、ユニット本体２の本体底部２ｂの奥行の長さ（寸法）の７０％以上であるのが好ましい。
【００１９】
図５は天板を外しダクトを透視した状態の平面図であり、図５および図６に示すように、送風機８はユニット本体２の前面の略中央部近傍に、ユニット本体２の前面から奥行方向及び下方に延びるように水平状態に配され、遠心式ファン９を備え、ケーシング１０外には遠心式ファン９を回転させるモータ１１が設けられる。このモータ１１はケーシング１０とユニット本体２の本体底部２ｂとの間に形成される空間ｓに収容される。
【００２０】
ケーシング１０のケーシング吸込口１０ａは、送風機８の上方に位置するダクト１２に設けたダクト吸込口１２ａに連通する。
【００２１】
ダクト１２は合成樹脂製で扁平で略逆２等辺三角形状をなし、この２等辺三角形の底角に相当する近傍に、上記２個のダクト吸込口１２ａを設け、頂角に相当する近傍にダクト吹出口１２ｂを設けている。２個のダクト吸込口１２ａは、凹部形成板４に設けた２個の通気孔４ａに各々一致し、ダクト吸込口１２ａ及び通気孔４ａは、各々蒸気分散板６と凹部形成板４間に形成される扁平な狭い通気空間１３に対向して開口する。
【００２２】
一方、ダクト吹出口１２ｂは凹部形成板４の２個の通気孔４ａの幅方向の距離の中間に位置、すなわち送風機８は、２個のダクト吸込口１２ａの幅方向の距離の中間に位置する。
【００２３】
また、送風機８を２個のダクト吸込口１２ａの幅方向の距離の中間に位置させることにより、収納部３２で発生する蒸気を偏りなく、速やかに排出でき、さらに、吸気に偏りがないので、騒音の低減化を図ることができる。また、２個のダクト吸込口の大きさあるいはダクトの長さ、開口面積を調整して両ダクト吸込口からの吸気量の調整を図る必要がなく、設計も容易になる。
【００２４】
図６および図７に示すように、ユニット本体２には、ダクト１２とケーシング１０により通気路Ｒが形成され、この通気路Ｒにより凹部５に設けた蒸気吸込口７とユニット本体２の前面に設けた蒸気排気口３が連通される。
【００２５】
通気路Ｒの一部をなすケーシング１０には、遠心式ファン９の高さより僅かに高く（広い上下幅）、略円形状に形成され、ファン収容部１０ｂが設けられ、さらに、このファン収容部１０ｂとケーシング吹出口１０ｃ間には、排気路部１０ｄが設けられる。
【００２６】
この排気路部１０ｄは、その底面部１０ｄ１が一端でファン収容部１０ｂの底部１０ｂ１に連なり、底面部１０ｄ１の一部には、曲線状に、緩やかに前下がりに傾斜する傾斜部１０ｄ２が設けられ、さらに、傾斜部１０ｄ２に連なって安全上必要な水滴溜まり１０ｄ３が設けられ、他端がファン収容部１０ｂの高さより高い、ケーシング吹出口１０ｃ、蒸気排気口３に達する。
【００２７】
蒸気排気口３は、高さがファン収容部１０ｂの高さに限定されることなく、ファン収容部１０ｂの高さよりも高く形成することができるので、設計の自由度が増す。
【００２８】
傾斜部１０ｄ２を含む底面部１０ｄ１は、ケーシング１０とユニット本体２の本体底部２ｂとの間に形成される他に空間ｓがあれば空間ｓに突き出て、収容される。
【００２９】
モータ１１を収容するための空間ｓを利用して、底面部１０ｄ１を突き出し、形成した空間ｓを利用して、モータを収容しているため、改めてモータを収容する空間を設ける必要がなく、ユニット本体の片側半分が収納棚の収納部間で膨出する従来例に比べて、薄形化を図ることができる。
【００３０】
なお、傾斜部１０ｄ２に対応するケーシング１０の側壁は円弧状に形成されている。
【００３１】
従って、通気路Ｒにより、蒸気吸込口７を介して吸い込んだ蒸気を、ダクト吹出口１２ａ、ケーシング吸込口１０ｃを介してケーシング１０に吸い込み、蒸気排気口３からユニット本体２外に排出する。
【００３２】
通気路Ｒによる蒸気の排出過程において、傾斜部１０ｄ２を曲線状に、緩やかに前下がりに傾斜させることで、水滴が傾斜部１０ｄ２から直線的に跳ねて蒸気排気口３から噴き出すことがなく、また、水滴が傾斜部１０ｄ２に付着しても水滴溜まり１０ｄ３で受けられるので安全で衛生的であり、また、傾斜部１０ｄ２で乱流が発生することなく、風切音の発生がなくなり静かである。
【００３３】
また、前下がりに傾斜する傾斜部１０ｄ２を設けることで、ファン収容部１０ｂ自身に比べてケーシング１０の厚みは増すが、傾斜部１０ｄ２はモータ１１を収容する空間ｓに傾斜する（突き出る）ので、新たに厚みの増加させる必要がない。
【００３４】
なお、図中符号１５、１６は入力端子・出力端子、符号１７は運転表示ランプ、符号１８は操作スイッチである。
【００３５】
上記構造を有する蒸気排出ユニット１は、図１に示すように、収納棚３１の収納部３２の上部に組み込まれ、炊飯器、電気保温ポットなどの電気器具を収納棚３１の収納部３２に収納して使用する。
【００３６】
電気器具の電源が入れられ、送風機８に通電され、電気器具から発生した蒸気は、送風機８の作用により、蒸気吸込口７、ダクト１２を介して蒸気排気口３からユニット本体２外に排出される。
【００３７】
この蒸気排気過程において、図４および図５に示すように、蒸気吸込口７が蒸気分散板６周囲及び中央部に設けられるので、均一かつ速やかな吸気を行なうことができ、さらに、送風機８を２個のダクト吸込口１２ａの幅方向の距離の中間に位置させることにより、収納部３２で発生する蒸気を偏りなく、速やかかつ静かに排気できる。
【００３８】
また、図６に示すように、通気路Ｒの一部をなすケーシング１０に設けた傾斜部１０ｄ２により、水滴が傾斜部１０ｄ２から直線的に跳ねて蒸気排気口３から噴き出すことがなく、また、水滴が傾斜部１０ｄ２に付着しても水滴溜まり１０ｄ３で受けられるので安全で衛生的であり、また、風切音の発生がなく静かである。
【００３９】
さらに、図７に示すように、傾斜部１０ｄ２に対応するケーシング１０側壁は円弧状に形成されているので、送風機８から吹き出される蒸気の流れは、ケーシング１０側壁に突き当たるので、結露した水滴が正面に飛散するのを防ぎ、使用者に不快感を与えない。
【００４０】
本実施形態の蒸気排出ユニットによれば、薄形で設計の自由度が得られるとともに、静音化、水滴の飛散対策を図った蒸気排出ユニットが実現する。
【図面の簡単な説明】
【００４１】
【図１】本発明の一実施形態に係る蒸気排出ユニットを組み込んだ収納棚の正面図。
【図２】本発明の一実施形態に係る蒸気排出ユニットを組み込んだ収納棚の斜視図。
【図３】本蒸気排出ユニットの正面図。
【図４】本蒸気排出ユニットの下面図。
【図５】本蒸気排出ユニットの天板を外した状態の平面図。
【図６】本蒸気排出ユニットの幅方向の縦断面図。
【図７】本蒸気排出ユニットに用いる送風機のケーシングの平面図。
【符号の説明】
【００４２】
１  蒸気排出ユニット
２  ユニット本体
２ａ  天板
３  蒸気排気口
４  凹部形成板
４ａ  通気孔
５  凹部
５ａ  下端部
６  蒸気分散板
７  蒸気吸込口
８  送風機
９  遠心式ファン
１０  ケーシング
１０ｃ  ケーシング吸込口
１０ｂ  ファン収容部
１０ｃ  ケーシング吹出口
１０ｄ  排気路部
１０ｄ１  底面部
１０ｄ２  傾斜部
１０ｄ３  水滴溜まり
１１  モータ
１２  ダクト
１２ａ  ダクト吸込口
１２ｂ  ダクト吹出口
１５  入力端子・出力端子
１６  入力端子・出力端子
１７  運転表示ランプ
１８  操作スイッチ
Ｒ  通気路
【図１】
2010046301.tif 000003
【図２】
2010046301.tif 000004
【図３】
2010046301.tif 000005
【図４】
2010046301.tif 000006
【図５】
2010046301.tif 000007
【図６】
2010046301.tif 000008
【図７】
2010046301.tif 000009